(57)【要約】【課題】映像系がアンダー又はオーバチューブにセットされても、操作レバーと透視像の方向が一致して操作できるＸ線透視撮影装置を提供する。【解決手段】Ｃアーム２２の両端に保持されたＸ線管２１とＸ線像検出部２５からなる映像系が回転軸２８を中心にして回転され、Ｘ線管２１が天板２４の上部に、Ｘ線像検出部２５が下部に位置する。Ｃアーム２２の回転位置をＡＰ・ＰＡ位置検出部４０が検出し、透視像反転信号発生器４１から透視像を反転する信号が通信などの手段によって画像処理装置３０に送られ、画像モニタ３９の透視画像のみを反転させる。そして、オーバチューブとアンダーチューブ位置に無関係に操作レバー３７ａを操作して透視画像を画像モニタ３９上に正常な方位に表示する。【選択図】          図１
2004181114.tif 000002
【特許請求の範囲】
【請求項１】
Ｘ線管とそれに対向配置されるＸ線像検出部が被検者を載せる天板を挟んでＣアームの両端にそれぞれ支持されるとともに、Ｃアームの回転によりオーバチューブ位置とアンダーチューブ位置に操作される映像系と、その映像系および天板の移動を操作するための操作レバーを備えた透視台操作卓と、前記Ｘ線像検出部が検出する透視撮影像の信号を処理する画像処理装置と、処理された画像を表示する画像モニタとを有するＸ線透視撮影装置において、前記画像モニタ上の画像を上下、左右、又は、上下左右に反転表示させる選択手段と、その反転に連動して前記映像系および前記天板の移動方向を反転させる手段と、オーバチューブ位置またはアンダーチューブ位置を検出する位置検出手段と、この位置信号により透視撮影像を反転表示させる透視撮影像反転手段とを設け、前記操作レバーの上下左右方向と画像モニタのＸ線透視像の上下左右方向を一致させて前記映像系および前記天板の移動方向を操作できることを特徴とするＸ線透視撮影装置。
【請求項２】
撮影部位および撮影技法がその組合せを選択可能にして画像処理装置に登録されるとともに、画像モニタ上の画像を上下、左右、又は、上下左右に反転表示し、その反転情報に連動して映像系および天板の移動方向も反転するように登録されていることを特徴とする請求項１記載のＸ線透視撮影装置。
【発明の詳細な説明】
【０００１】
【発明の属する技術分野】
本発明は、Ｘ線管とＸ線像検出部がＣアームに取り付けられた透視台、又は天井走行式Ｃアームに取り付けられ、循環器の診断などに用いられるＸ線透視撮影装置に関する。
【０００２】
【従来の技術】
循環器Ｘ線診断法として、血管に挿入したカテーテルより造影剤を注入し血管内部をＸ線撮影する血管造影検査法があり、術者がカテーテルの挿入状態と造影剤の流れを、画像モニタで観察しながら行われる。そして、血管撮影による診断だけでなく、バルーン（風船）付きカテーテルにより狭窄している血管を拡張したり、カテーテルより塞栓剤を注入して血管を閉塞させるなどの治療をするＩＶＲ（Ｉｎｔｅｒｖｅｎｔｉｏｎａｌ  Ｒａｄｉｏｌｏｇｙ）手技が一般的に行われる。このような検査を行う場合、患部の位置によっては被検者を天板上で仰臥位または伏臥位の状態で寝かせたり、また、頭と足を反対にした逆頭足位に寝かせて処置を行う場合がある。このとき透視台操作卓に設けられた操作レバーの操作方向と画像モニタ上のＸ線透視像の移動方向が同じになるようにしたＸ線透視撮影台がある（例えば、特許文献１参照。）。
【０００３】
図２は、Ｘ線透視像を上下・左右、または上下左右に反転することができるＸ線透視撮影台の構成を概略的に示している。通常、被検者３の頭部を左側にした状態で天板４上に寝かせるが、検査の都合上、逆頭足仰臥位に寝かせた場合である。基台６の支柱２に支持されたＸ線管１から放射されたＸ線が、被検者３を透過しＸ線像検出部５で受像され、画像処理装置１０を介して、画像モニタ９に表示される。このとき被検者３のＸ線透視像は上下・左右方向が逆に表示される。透視像表示方向設定入力装置８の上下反転ボタン８ａ、左右反転ボタン８ｂを「ＯＮ」状態に設定し、又は、画像処理装置１０の撮影部位ボタン１０ａ、撮影技法ボタン１０ｂを設定登録してＸ線透視を行うと、透視台操作卓７の操作レバー７ａを操作しても、Ｘ線管１とＸ線像検出部５とからなる映像系と、天板４の移動方向が反転し、通常の透視画像のように被検者３を正面から見た像として観察することができ移動方向も同じになる。このように設定することで、術者は画像モニタ９を見ながら画像モニタ９上の関心領域を操作レバー７ａの操作方向と画像モニタ９上の関心領域の方向を一致させている。
【０００４】
【特許文献１】
特開２００２−２２４０９６号公報  （第５頁、第１図）
【０００５】
【発明が解決しようとする課題】
従来のＸ線透視撮影装置は以上のように構成されているが、循環器診断用には全身をいろいろな角度から透視撮影できるために、Ｘ線管１とそれに対向して配置されるＸ線像検出部５からなる映像系が、Ｃアームに保持され、床に設置された保持装置、又は、天井走行式の保持装置に保持され、天板片持ち方式のカテーテル寝台と組み合わせて検査が行われる。このときＣアームに取り付けられた映像系は、検査部位により、Ｘ線管１が天板４の上方に位置するオーバチューブの状態、または、Ｘ線管１が天板４の下方に位置するアンダーチューブの状態にセットされる場合がある。
【０００６】
アンダーチューブの状態とオーバチューブの状態では、画像モニタ９に表示される透視画像が上下・左右ともに反転し、透視画像と被検者３の向きを一致させるためには、装置の透視像表示方向設定入力装置８の反転ボタンを「ＯＮ」して透視画像を反転させなければならない。このとき、画像モニタ９の透視画像の反転情報に基づいて装置の動作方向を切り替えてしまうと、画像モニタ９上での関心領域の動きと操作レバー７ａの操作方向が一致しなくなり、従来の技術では対応できない問題がある。
また、アンダーチューブの状態とオーバチューブの状態を切り替えることで透視画像を反転させているのか、被検者３を天板４に寝かせる方向を変えたために透視画像を反転させているのか、非常にわかりづらく、操作者を混乱させる問題がある。
【０００７】
本発明は、このような事情に鑑みてなされたものであって、映像系が天板に対してアンダーチューブの状態、又はオーバチューブの状態にセットされても、透視台操作卓に設けられた操作レバーの上下左右方向と画像モニタの透視画像の上下左右方向を一致させて、映像系および天板の移動方向を操作することができるＸ線透視撮影装置を提供することを目的とする。
【０００８】
【課題を解決するための手段】
上記の目的を達成するため、本発明のＸ線透視撮影装置は、Ｘ線管とそれに対向配置されるＸ線像検出部が被検者を載せる天板を挟んでＣアームの両端にそれぞれ支持されるとともに、Ｃアームの回転によりオーバチューブ位置とアンダーチューブ位置に操作される映像系と、その映像系および天板の移動を操作するための操作レバーを備えた透視台操作卓と、前記Ｘ線像検出部が検出する透視撮影像の信号を処理する画像処理装置と、処理された画像を表示する画像モニタとを有するＸ線透視撮影装置において、前記画像モニタ上の画像を上下、左右、又は、上下左右に反転表示させる選択手段と、その反転に連動して前記映像系および前記天板の移動方向を反転させる手段と、オーバチューブ位置またはアンダーチューブ位置を検出する位置検出手段と、この位置信号により透視撮影像を反転表示させる透視撮影像反転手段とを設け、前記操作レバーの上下左右方向と画像モニタのＸ線透視像の上下左右方向を一致させて前記映像系および前記天板の移動方向を操作できるものである。
【０００９】
また、本発明のＸ線透視撮影装置は、撮影部位および撮影技法がその組合せを選択可能にして画像処理装置に登録されるとともに、画像モニタ上の画像を上下、左右、又は、上下左右に反転表示し、その反転情報に連動して映像系および天板の移動方向も反転するように登録されているものである。
【００１０】
本発明のＸ線透視撮影装置は上記のように構成されており、画像モニタ上の透視画像を上下、左右、又は、上下左右に反転表示する選択手段と、その反転情報に連動して、Ｃアームに取付けられた映像系および天板の移動方向を反転する手段と、オーバチューブ位置またはアンダーチューブ位置を検出する位置検出手段と、その信号により透視画像のみを反転表示させる透視像反転手段とが設けられている。
【００１１】
そして、オーバチューブまたはアンダーチューブを検出する位置検出手段からの信号が、透視像反転手段を介して通信などの手段によって画像処理装置に送られ、画像処理装置が透視画像反転スイッチのステータスを替えずに、画像モニタ上の透視画像のみを反転させることで、オーバチューブとアンダーチューブ位置に無関係に透視画像が画像モニタ上に正常な方位に表示される。
【００１２】
また、天板上の被検者を仰臥位、伏臥位、逆頭足仰臥位、逆頭足伏臥位にした状態で透視診断を行う場合は、それぞれに対して、画像モニタ上の透視画像を、通常状態、左右反転状態、上下左右反転状態、上下反転状態に表示するために、上下と左右に反転する２つの選択ボタンを備え、その反転に連動して映像系および天板の移動方向を反転する手段が設けられ、透視台操作卓に設けられている操作レバーを、パネルに表示されている方向に操作しても、映像系及び天板がそれに対応して連動し、画像モニタ上の被検者の関心領域も同じ方向に移動する。
【００１３】
又、画像処理装置に登録する撮影部位および撮影技法の組合せを選択することによって、画像モニタ上の透視画像を上下、左右、又は、上下左右に反転表示し、その反転情報に連動して映像系および天板の移動方向も反転するように登録することができるので、診断する撮影部位および撮影技法の組合せを選択すれば、操作レバーをパネルに表示されている方向に操作しても、映像系及び天板がそれに対応して連動し、画像モニタ上の被検者の関心領域も同じ方向に移動する。
【００１４】
上記のように、Ｃアームを装備したＸ線透視撮影装置においては、オーバチューブ・アンダーチューブの切替位置によらず、被検者を天板上のどの方向に寝かせても、画像モニタを見ながら透視画像の動きを基準にして、操作レバーを操作する。
【００１５】
【発明の実施の形態】
本発明のＸ線透視撮影装置の一実施例を、図１を参照しながら説明する。図１は本発明のＸ線透視撮影装置の透視像反転機構を示す図である。
本Ｘ線透視撮影装置は、天板２４を挟んで、Ｃアーム２２に支持されたＸ線管２１とこれに対向配置されたＸ線像検出部２５とがＣアーム２２の回転によりオーバチューブ位置とアンダーチューブ位置になり平行移動する映像系と被検者２３を載せ上下左右に移動可能な天板２４とを有する透視撮影台と、Ｘ線像検出部２５が検出する透視撮影像の信号を処理し画像を構成する画像処理装置３０と、処理された構成画像を表示する画像モニタ３９と、画像モニタ３９上の透視画像を上下、左右に反転表示させる上下反転ボタン３８ａ、左右反転ボタン３８ｂを有する透視像表示方向設定入力装置３８と、映像系および天板２４の移動を操作し、その反転に連動して上記の映像系および天板２４の移動方向を反転させる操作レバー３７ａを有する透視台操作卓３７と、オーバチューブ位置またはアンダーチューブ位置を検出するＡＰ・ＰＡ位置検出部４０と、その信号により透視画像を反転表示させ信号を通信によって送信する透視像反転信号発生器４１とから構成される。
【００１６】
本Ｘ線透視撮影装置は、Ｘ線管２１とＸ線像検出部２５からなる映像系が、Ｃアーム２２の両端に保持され、回転軸２８を中心に回転し、オーバチューブ位置またはアンダーチューブ位置を検出するＡＰ・ＰＡ位置検出部４０と、その信号により透視画像を反転表示させる透視像反転信号発生器４１を設け、通信手段などによって、画像処理装置３０に信号を送り、オーバチューブとアンダーチューブの位置に無関係に、透視台操作卓３７に設けられた操作レバー３７ａの上下左右方向と、画像モニタ３９上の透視画像の上下左右方向を一致させて映像系および天板２４の移動方向を操作できるようにしたものである。
【００１７】
次に、本Ｘ線透視撮影装置の各部の構成と動作について説明する。
透視撮影台は、床に設置された基台２６と、それに装備された上下（Ｇ：天板昇降動）可能な天板支持部２４ａと、透視台を起倒（Ｄ：起倒動）させる起倒Ｃアーム２９と、その起倒Ｃアーム２９に渡されたスライド板２７と、その上でスライド（Ｂ：Ｃアーム長手動）するＣアーム保持器４２と、そのＣアーム保持器４２に取り付けられたＣアーム２２と、そのＣアーム２２の両端に取り付けられたＸ線管２１とＸ線像検出部２５からなる映像系と、天板支持部２４ａに支持された天板２４とから構成される。
【００１８】
そして、基台２６に装備された起倒Ｃアーム２９が、回転スライドして透視台を起倒（Ｄ：起倒動）させる。そして、Ｃアーム保持器４２がスライド板２７上をスライド（Ｂ：Ｃアーム長手動）し、Ｘ線管２１とＸ線像検出部２５からなる映像系が天板２４に対して平行に移動する。また、Ｃアーム２２が円弧方向にスライド（Ａ：Ｃアームスライド）して、側面から斜入透視撮影を行い、また、回転軸２８を中心にして回転して、頭もしくは足方向から斜入透視撮影を行う。そして、天板２４が天板支持部２４ａで支持されて水平方向に移動（Ｃ：天板上下左右動）し、被検者２３の患部に対して位置決めが行われる。
【００１９】
また、Ｘ線像検出部２５がＸ線管２１に対して上下に移動（Ｅ：Ｘ線像検出部前後動）し、被検者２３に接近又は離れたりして拡大透視が行われる。上記の機構により、Ｘ線管２１を被検者２３に対して上部に位置させたオーバチューブの状態、または、下部に位置させたアンダーチューブの状態にセットすることができる。
透視台操作卓３７は、透視撮影台の各部を操作する操作レバー３７ａと、透視像表示方向設定入力装置３８からの信号によって、透視撮影台の天板２４及び映像系（Ｘ線管２１とＸ線像検出器２５）の移動方向を反転させる回路とから構成される。
【００２０】
そして、透視台操作卓３７は、透視撮影台と透視像表示方向設定入力装置３８に接続され、被検者２３の体位に応じて、透視像表示方向設定入力装置３８で設定された信号をうけて、反転させる回路により操作レバー３７ａを操作することによって、透視撮影台の天板２４の移動方向を、上下・左右に反転移動させ、また、映像系（Ｘ線管２１とＸ線像検出器２５）も上下に反転移動させる。そして、操作パネルに表示された同じ方向に、画像モニタ３９に表示された透視画像を移動させる。
【００２１】
画像処理装置３０は、Ｘ線像検出部２５からの信号を処理しＸ線画像を構成する信号処理部と、透視撮影台の透視像反転信号発生器４１からの信号、または、透視像表示方向設定入力装置３８からの信号を受けて画像モニタ３９上の透視画像を上下、または、左右に反転させる回路と、撮影部位および撮影技法の組合せが登録（記憶）され、ボタンを選択することによって、画像モニタ３９上の透視画像を上下、左右、又は、上下左右に反転表示し、その反転情報に連動して映像系および天板の移動方向も反転できるようにした撮影部位ボタン３０ａと、撮影技法ボタン３０ｂとから構成される。
【００２２】
そして、画像処理装置３０は、Ｘ線像検出部２５からの出力信号を受けて、その透視画像信号を増幅し、Ａ／Ｄ変換したのち画像を処理して構成し、記憶装置に入力したり、Ｄ／Ａ変換後に映像増幅して、画像モニタ３９に映像信号を送る。また、透視撮影台のオーバチューブ位置またはアンダーチューブ位置によって、透視像反転信号発生器４１からの通信信号を受けて、または、透視像表示方向設定入力装置３８からの信号を受けて、画像モニタ３９上の透視画像を上下、または、左右に反転させる。
【００２３】
また、被検者２３の撮影部位（例えば、膵管）及び撮影技法（例えば、被検者２３の頭足方向を逆方向に寝かせ仰臥位にして造影）を登録する撮影部位ボタン３０ａ（各診断部位などのボタン）及び撮影技法ボタン１０ｂ（正面仰臥位、正面伏臥位、逆頭足仰臥位、逆頭足伏臥位のボタン）が設けられており、これらのボタンを「膵管」「逆頭足仰臥位」にセットすることで、例えば、被検者３を膵管造影するため、逆頭足仰臥位状態にして、撮影を行うものと装置が判断して、透視像表示方向設定入力装置３８の上下反転ボタン３８ａと左右反転ボタン３８ｂが点灯し、天板２４及び映像系の移動方向が反転する。一度、撮影部位、及び、撮影技法を登録しておくと、次回から撮影部位を選ぶだけで撮影技法が選択される。
透視像表示方向設定入力装置３８は、パネルに設けられ動作中はランプが点灯し画像モニタ３９の透視画像の上下を反転させる上下反転ボタン３８ａと、左右を反転させる左右反転ボタン３８ｂとから構成される。
【００２４】
そして、透視像表示方向設定入力装置３８は、画像処理装置３０と透視台操作卓３７に接続される。上下反転ボタン３８ａおよび左右反転ボタン３８ｂをセットすることでランプが点灯し、画像処理装置３０に信号が送られ、画像モニタ３９の透視画像の上下を反転させ、同時に、透視台操作卓３７に信号が送られ、天板２４及び映像系の移動方向を反転させる。また、画像処理装置３０から撮影部位ボタン３０ａ及び撮影技法ボタン３０ｂのセット信号を受けて、上下反転ボタン３８ａおよび左右反転ボタン３８ｂが自動的にセットされ、それによって天板２４及び映像系の移動方向が反転される。
【００２５】
画像モニタ３９は、ビデオ信号を垂直、水平同期信号と同期してモニタに透視画像を表示するものである。そして、Ｘ線画像信号が画像処理装置３０でＤ／Ａ変換された後、映像増幅されて画像モニタ３９に入力され、画像モニタ３９で垂直、水平同期信号と同期して、透視画像を表示する。そして、被検者２３を伏臥位、逆頭足仰臥位、逆頭足伏臥位にしても、透視像表示方向設定入力装置３８の上下反転ボタン３８ａ、左右反転ボタン３８ｂをセットすることによって、また、ＡＰ・ＰＡ位置検出部４０から透視像反転信号発生器４１を経由して通信で画像処理装置３０に送られた信号によって自動的に、その表示された透視画像は、透視台操作卓３７の操作レバー３７ａの操作と同じ方向に移動する。
ＡＰ・ＰＡ位置検出部４０は、透視撮影台に設けられ、映像系のＸ線管２１が天板２４に対して上部に位置（オーバチューブ位置）している状態か、または、下部に位置（アンダーチューブ位置）している状態かを検出する検出器と電気回路の位置検出機構で構成される。
【００２６】
そして、Ｘ線管２１とＸ線像検出部２５からなる映像系において、ＡＰ方向（Ａｎｔｅｒｏ  Ｐｏｓｔｅｒｉｏｒ：Ｘ線撮影時においてＸ線入射が前面から後面に至る方向）、いわゆるオーバチューブ位置か、ＰＡ方向（Ｐｏｓｔｅｒｏ  Ａｎｔｅｒｉｏｒ：Ｘ線撮影時においてＸ線入射が後面から前面に至る方向）、いわゆるアンダーチューブ位置かを検出する。検出された信号は透視像反転信号発生器４１に送られる。
【００２７】
透視像反転信号発生器４１は、ＡＰ・ＰＡ位置検出部４０からの信号を受け、透視画像を反転表示させる信号を発生する通信機器で構成される。
そして、Ｃアーム２２が天板２４の側方向（図示する方向）から映像系を上下逆にセットした場合に、上下反転信号を、また、天板２４の長手方向（図示した方向と直角な方向）から映像系（被検者２３の頭部方向に、天井懸垂部から懸垂されたＣアーム、又は、床設置型の装置で保持されたＣアームの映像系）を上下逆にセットした場合、左右反転信号を発生し、この信号は通信などにより画像処理装置３０に送られる。
【００２８】
次に、本Ｘ線透視撮影装置の操作について説明する。被検者２３が通常の状態で（頭足順方向・仰臥位）、図１に示すアンダーチューブ（あるいはオーバチューブ）状態のＣアーム２２からなる透視撮影台の天板２４上に寝かせられた場合、画像モニタ３９上の透視画像は、上下・左右方向がともに通常の反転していない状態で表示される。このときは透視画像を反転する必要が無く、透視像表示方向設定入力装置３８の上下反転ボタン３８ａ、および左右反転ボタン３８ｂの状態は、共にランプが消灯した状態になる。
【００２９】
次に、被検者２３を頭足逆方向・伏臥位に寝かせた場合、画像モニタ３９上の透視像は上下・左右方向がともに反転した状態で表示される。ここで、画像処理装置３０に付属された透視像表示方向設定入力装置３８の上下反転ボタン３８ａ、および左右反転ボタン３８ｂにより、上下・左右反転方向を指定すると、上下反転ボタン３８ａ、および左右反転ボタン３８ｂのランプがともに点灯し、画像モニタ３９には頭が上方向の正しい向きに表示される。さらに、透視像表示方向設定入力装置３８より透視台操作卓３７にも透視像の反転情報が出力され、この情報を受け取った透視台操作卓３７は、透視撮影台の映像系および天板２４の長手動の動作方向を反転するように回路が接続され、また、左右方向の反転出力により天板２４の左右動の動作方向を反転するように回路が接続される。この処理により、操作者は画像モニタ３９上の移動方向と、透視台操作卓３７の操作レバー３７ａの操作方向を合わせて操作することができる。
【００３０】
ここで、Ｃアーム２２の映像系をオーバチューブ（あるいはアンダーチューブ）に切り替える。透視撮影台がオーバチューブに切り替わったことを透視台に設けられたＡＰ・ＰＡ位置検出部４０が検出して透視像反転信号発生器４１にその信号が送られ、透視像反転信号発生器４１から、通信手段などにより画像処理装置３０に送信される。画像処理装置３０はその信号を受けて透視画像を自動的に上下（または左右）を反転させる。ここで、上下反転はＣアーム２２が天板２４の側面から被検者２３にセットした場合であって、Ｃアーム２２が天板２４の長手方向から被検者２３にセットされている場合（図示されていない）は、左右反転を行うことになる。ただし、このとき上下反転ボタン３８ａ、および左右反転ボタン３８ｂのランプをともに点灯させない。これによって、操作者には透視画像が反転したことを意識させないようにしている。
【００３１】
このように、オーバチューブとアンダーチューブを切り替えても、操作者の意識しないところで透視画像の向きを変えれば、被検者２３を寝かせる方向だけを意識して画像反転の操作を行えばよく、常に画像モニタ３９上の関心領域の動きと操作レバー３７ａの操作方向を一致させることができる。
また、膵臓造影など患部へのアプローチの都合上で、被検者２３を頭足方向で逆方向に寝かえることがわかっているような場合には、このような撮影部位・撮影技法に連動して透視画像を表示する方向を、画像処理装置３０に予め登録しておき、撮影部位ボタン３０ａおよび撮影技法ボタン３０ｂを選択しておくことにより、自動的に切り替えられる。また、その透視画像の表示方向に応じて、操作レバー３７ａと透視撮影台の動作方向を切り替えることができる。
【００３２】
さらに、上下反転ボタン３８ａ、左右反転ボタン３８ｂの画像反転のスイッチではなく、被検者２３を天板２４上に寝かせる向きを変えることを明示したスイッチ、例えば、被検者２３の向きを指定する仰臥／伏臥と頭足方向の表記、ならびに、このそれぞれの表記に接近してスイッチボタンを設置する実施例や、文字表記でなく患者の仰臥図、伏臥図、さらには頭足方向を指示する図などをあらわし、それぞれにスイッチボタンを設置する実施例、さらには、被検者２３をモデル化した小さい可動体を設置し、これらをその方向に動作させるようにして選択する実施例なども考えられ、このような各種各様の手段を設けることにより、より操作の意図をはっきりさせることもできる。
【００３３】
上記の実施例では、床に設置された保持装置からＣアーム２２を被検者２３の側面から挿入してセットした状態について説明したが、Ｃアーム２２が被検者２３の頭部方向から挿入しセットされた状態でも同様に適用することができる。アンダーチューブとオーバチューブの切替による画像反転の方向は、前者では上下方向、後者では左右方向になる。
また、床に設置した保持装置にＣアーム２２が支持された状態について説明したが、天井懸垂走行型の保持装置にＣアーム２２が支持された装置についても、同様に適用することができる。
【００３４】
【発明の効果】
本発明のＸ線透視撮影装置は上記のように構成されており、Ｃアームに取付けられた映像系がオーバチューブ位置又はアンダーチューブ位置にセットされても、装置に設けられた位置検出部から通信などの手段によって、画像モニタ上の透視画像のみを自動的に反転させ、正常な方位に表示するので、術者はオーバチューブ位置又はアンダーチューブ位置を気にすることなく通常通り操作することができる。
そして、天板上の被検者を通常の仰臥位で透視診断する場合は、従来と同じ操作で行い、伏臥位、逆頭足仰臥位、逆頭足伏臥位にして透視診断する場合は、装置に設けられた上下・左右に反転する２つのボタンを設定することによって、画像モニタ上の透視画像を通常の上下・左右に対して同じ状態にすることができ、同時に操作レバーの操作方向と同じ方向に透視画像を移動させることができる。また、画像処理装置に登録する撮影部位および撮影技法の組合せを選択することによって、画像モニタ上の透視画像を上下、左右、又は、上下左右に反転表示させることができ、操作レバーの操作方向と同じ方向にＸ線透視像を移動させることができる。
上記のように、オーバチューブとアンダーチューブ位置に注意を払うことなく、また、被検者の体位によって反転用のボタンを押すことにより、また、撮影部位および撮影技法の組合せを選択するだけで、画像モニタを見ながら透視像の動きを基準にして操作レバーを操作すれば、容易に関心領域を画像モニタの中央に位置させることができる。
【図面の簡単な説明】
【図１】本発明のＸ線透視撮影装置の一実施例を示す図である。
【図２】従来のＸ線透視撮影装置の画像反転機構を示す図である。
【符号の説明】
１  Ｘ線管
２  支柱
３  被検者
４、２４  天板
５  Ｘ線像検出部
６、２６  基台
７  透視台操作卓
７ａ、３７ａ  操作レバー
８  透視像表示方向設定入力装置
８ａ、３８ａ  上下反転ボタン
８ｂ、３８ｂ  左右反転ボタン
９、３９  画像モニタ
１０  画像処理装置
１０ａ、３０ａ  撮影部位ボタン
１０ｂ、３０ｂ  撮影技法ボタン
２１  Ｘ線管
２２  Ｃアーム
２３  被検者
２４ａ  天板支持部
２５  Ｘ線像検出部
２７  スライド板
２８  回転軸
２９  起倒Ｃアーム
３０  画像処理装置
３７  透視台操作卓
３８  透視像表示方向設定入力装置
４０  ＡＰ・ＰＡ位置検出部
４１  透視像反転信号発生器
４２  Ｃアーム保持器
【図１】
2004181114.tif 000003
【図２】
2004181114.tif 000004